(57)【要約】【課題】ブラシレスモータに使用される抜け止め部材において、組み立て後の分解が容易であり、寸法の調整が容易なブラシレスモータの提供を目的とする。【解決手段】ブラシレスモータ１は、抜け止め部材１０、回転体２、回転軸３、軸受７、ハウジング８から構成されている。抜け止め部材１０は回転体２の上部の固定部１３により固定されている。抜け止め部材１０の先端が、係合部１１の内側に入り込み、抜け止め構造を成している。上記構成により回転体２の上部の固定部１３を解除することにより抜け止め部材１０を取り外すと、モータの分解を容易に行うことができる。また吸引マグネットの内径１２が抜け止め部材１０の形状を規制し係合部の所望の位置に設定できる。【選択図】図１
2005323420.tif 000002
【特許請求の範囲】
【請求項１】
回転軸と、前記回転軸に固定された回転体と、前記回転体の上部に固定された吸引マグネットと、前記回転体に固定された抜け止め部材と、前記回転体に固定されたロータマグネットと、を備えたロータ及び、取り付け板と、前記回転軸を回転自在に保持する軸受と、前記軸受を保持し、一方の端部が略Ｌ字状であるハウジングと、前記モータマグネットに対向して配置される銅線の巻かれたステータコアと、を固定したステータを組み合わせてなるブラシレスモータにおいて、前記抜け止め部材は前記回転体の上部に固定されることを特徴とするブラシレスモータ。
【請求項２】
前記抜け止め部材は、前記吸引マグネットの内径により形状が規制されることを特徴とする請求項１記載のブラシレスモータ。
【発明の詳細な説明】
【技術分野】
【０００１】
本発明は、ミニディスク、ＣＤなどのディスクを回転させるブラシレスモータのロータの抜け止め構造に関するものである。
【背景技術】
【０００２】
従来より、ブラシレスモータには、ロータマグネットとステータコアとの磁気吸引力を上回る荷重がモータに加わった場合のロータの脱落を防止するため、抜け止め構造が付加されている。抜け止め構造は、ハウジングに係合部を設け、ハウジングに対向するロータ部に抜け止め部材を設け、これらを係合させる構造が一般に採用されている（例えば特許文献１参照）。
【０００３】
また、回転軸の一部に溝を設け、その溝に抜け止め部材を係合させる構造なども採用されている。
【０００４】
図４に従来のブラシレスモータの構造を示す。図４において２は回転体、３は回転軸、１０は抜け止め部材、７は軸受、８はハウジング、１１は係合部である。ハウジングは一般に金属を切削加工してなされ、端部に係合部が設けられる。抜け止め部材は弾性を有する。ブラシレスモータを組み立てる際、回転軸を軸受に挿入していくと、抜け止め部材の先端が係合部に接触し、さらに回転軸を挿入していくと抜け止め部材の弾性により係合部の外径方向に広がり、さらに回転軸を挿入していき、抜け止め部材の先端が係合部の外径を通過した時点で係合部の外形より弾性によって小さくなるため元の形状に戻り、よって係合部に抜け止め部材の先端が入り込んで抜け止めとして機能するようになる。
【特許文献１】特開平１０−２３７０２号公報（第４−５頁、図１）
【発明の開示】
【発明が解決しようとする課題】
【０００５】
しかしながら、上記従来の構成では、抜け止め部材がブラシレスモータの外部より操作しにくいため組み立て後の分解、補修が困難であり、また回転体とステータコアの非常に狭い隙間に抜け止め部材を設けるため、抜け止め部材の弾性を適切に設定することが困難であり、さらに抜け止め部材は一般に金属板のプレス加工によって形成されるが、折り曲げ工程を含むため折り曲げ角度を高精度に維持するのが困難であるという課題があった。
【０００６】
本発明は、このような従来の課題を解決するものであり、組み立て後も分解が容易で、また抜け止め部材の寸法の調整や弾性の設定が容易であるブラシレスモータを提供することを目的とする。
【課題を解決するための手段】
【０００７】
上記課題を解決するために本発明は、抜け止め部材を回転体の上部に固定される構成としたものである。
【発明の効果】
【０００８】
請求項１記載の発明によれば、回転軸と、前記回転軸に固定された回転体と、前記回転体の上部に固定された吸引マグネットと、前記回転体に固定された抜け止め部材と、前記回転体に固定されたロータマグネットと、を備えたロータ及び、取り付け板と、前記回転軸を回転自在に保持する軸受と、前記軸受を保持し一方の端部が略Ｌ字状であるハウジングと、前記ロータマグネットに対向して配置される銅線の巻かれたステータコアと、を固定したステータを組み合わせてなるブラシレスモータにおいて、前記抜け止め部材は前記
回転体の上部に固定されたものであり、組み立て後もモータの分解が容易であるという有利な効果が得られる。
【０００９】
また、請求項２記載の発明によれば、前記吸引マグネットの内径により形状が規制されることを特徴としたものであり、抜け止め部材の寸法の調整や弾性の設定が容易であるという作用を有する。
【発明を実施するための最良の形態】
【００１０】
以下本発明を実施するための最良の形態について、図面を参照して説明する。
【００１１】
（実施の形態１）
図１においてブラシレスモータ１は、抜け止め部材１０、回転体２、回転軸３、軸受７、ハウジング８から構成されている。抜け止め部材１０は回転体２の上部の固定部１３により固定されている。抜け止め部材１０の先端が、係合部１１の内側に入り込み、抜け止め構造を成している。
【００１２】
上記構成により回転体２の上部の固定部１３を解除することにより抜け止め部材１０を取り外すと、モータの分解を容易に行うことができる。
【００１３】
（実施の形態２）
図２においてブラシレスモータ１は、抜け止め部材１０、回転体２、回転軸３、軸受７、ハウジング８、吸引マグネット９から構成されている。
【００１４】
そしてこの実施例によれば、吸引マグネット９の内径１２が図３ｂのように抜け止め部材１０の形状を規制することができる。一般にこのような抜け止め部材は金属板のプレス加工によって形成されるが、加工後には弾性部１４が図３ａのＡ方向へ開きやすいという特徴があるが、吸引マグネットの内径１２により図３ｂのように抜け止め部材１０の弾性部１４を所望の位置に設定できる。また抜け止め部材１０の弾性部１４の自由長を長く出来るため、弾性の設定が容易である。
【００１５】
なお、以上の説明では、抜け止め部材１０の固定方法を記載していないが、接着、ネジ締め、その他の固定方法についても同様に実施可能である。また、抜け止め部材１０の材料については特に限定せずに実施可能である。
【産業上の利用可能性】
【００１６】
本発明のブラシレスモータは、ロータの抜け止め構造がモータ組立後の分解や抜け止め部材の寸法調整、弾性設定が容易であり、ミニディスク、ＣＤなどのディスクを回転させるブラシレスモータとして有用である。
【００１７】
しかしこれに限定せず本発明のブラシレスモータは、その他の媒体を使用する情報記録再生装置などや、各種動力用モータにも適用できる。
【図面の簡単な説明】
【００１８】
【図１】本発明の実施の形態１によるブラシレスモータを示す断面図
【図２】本発明の実施の形態２によるブラシレスモータを示す断面図
【図３】本発明の実施の形態２の説明図、（ａ）は本発明の実施の形態２による抜け止め部材形状の開き方向を示す断面図、（ｂ）は本発明の実施の形態２による抜け止め部材形状の規制状態を示す断面図
【図４】従来のブラシレスモータの断面図
【符号の説明】
【００１９】
１  ブラシレスモータ
２  回転体
３  回転軸
７  軸受
８  ハウジング
９  吸引マグネット
１０  抜け止め部材
１１  係合部
１２  吸引マグネットの内径
１３  固定部
１４  弾性部
【図１】
2005323420.tif 000003
【図２】
2005323420.tif 000004
【図３】
2005323420.tif 000005
【図４】
2005323420.tif 000006